(57)【特許請求の範囲】
【請求項１】
座部と背もたれとを有する車両シート用の調節手段（１）であって、前記調節手段は、前記座部に対する前記背もたれの傾斜角度を変更し、且つ前記座部に接続された座部取り付け部品（６）と前記背もたれに接続される背もたれ取り付け部品（３）とを有し、前記取り付け部品（３，６）は前記座部に対する前記背もたれの調節範囲を制限する止め具（４ａ，４ｂ，５ａ，５ｂ）を備え、前記調節範囲が調節可能に設けられ、
少なくとも１つの止め具（４ａ，４ｂ）が取り外すことができるように設けられ、
前記少なくとも１つの止め具（４ａ，４ｂ）は第１停止面及び第２停止面（４．５，４．６）を有する、調節手段。
【請求項２】
前記少なくとも１つの止め具（４ａ，４ｂ）は２つの異なる制限領域（４．１，４．２）を有する、請求項１に記載の調節手段。
【請求項３】
前記止め具（４ａ，４ｂ）は締結手段（７）によって前記取り付け部品（３，６）に配置される、請求項１又は２に記載の調節手段。
【請求項４】
前記止め具（４ａ，４ｂ）は回転不可能であるように前記取り付け部品（３，６）に配置される、請求項１から３のいずれか１項に記載の調節手段。
【請求項５】
前記取り付け部品（３，６）に突起（８）が設けられ、前記突起が回転防止止め具として前記止め具のくぼみ及び／又は凹部（４．４）と協働する、請求項４に記載の調節手段。
【請求項６】
請求項１から５のいずれか１項に記載の調節手段の調節範囲を調節するための方法であって、１つの止め具（４ａ，４ｂ）が異なる止め具で置き換えられるか、又は別の位置で装着される、方法。
【請求項７】
前記止め具が取り外され、１８０°回転されて再び取り付けられる、請求項６に記載の方法。
【発明の詳細な説明】
【技術分野】
【０００１】
本発明は、座部及び背もたれを有する車両シート用の調節手段であって、座部に対する背もたれの傾斜角度を変更し、座部に接続された座部取り付け部品と、背もたれに接続された背もたれ取り付け部品とを有し、座部に対する背もたれの調節範囲を制限する止め具が取り付け部品に設けられている調節手段に関する。
【背景技術】
【０００２】
このような調節手段は、先行技術から知られている。前記調節手段は座部と背もたれとの間に配置され、その結果、例えば快適性及び／又は進入容易性の目的で、背もたれを座部に対して回転させることができる。理論的には、前記調節手段は３６０°の調節範囲を有するが、一般的には、車内の条件によって制限されざるを得ない。したがって、多くの場合、１列目の座席の調節範囲を後ろの列の座席と異なるように選択することが好都合である。また、各背もたれの前方の調節範囲は、多くの場合、後方の調節範囲と異なるように意図されている。
【発明の概要】
【発明が解決しようとする課題】
【０００３】
したがって、簡単にそれぞれの所望の調節範囲に適合させることができる調節手段を提供することが本発明の目的であった。
【課題を解決するための手段】
【０００４】
この目的は、座部及び背もたれを有する車両シートの調節手段であって、前記調節手段は座部に対する背もたれの傾斜角度を変更し、且つ、座部に接続された座部取り付け部品と、背もたれに接続された背もたれ取り付け部品とを有し、座部に対する背もたれの調節範囲を制限する止め具が取り付け部品に設けられ、調節範囲が調節可能に設けられている調節手段によって達成される。
【０００５】
本発明は、調節手段、例えばリクライナ、特にそれによって背もたれの傾きが座部に対して調節され得るタンブリングリクライナに関する。一般に、調節手段は、背もたれに、例えば背もたれの側部に接続された第１取り付け部品と、座部に接続された第２取り付け部品とを有する。当業者であれば、取り付け部品の少なくとも一方が背もたれフレーム及び／又は座部フレームの一部であり得ることが分かる。
【０００６】
本発明のこの主題に関する実施形態は、本発明の他の主題にも同様に適用され、その逆も同様である。
【０００７】
本発明によれば、少なくとも１つの止め具が一方又は両方の取り付け部品に設けられ、前記止め具は背もたれが所望の調節範囲を超えて調節されることを防止する。本発明によれば、この調節範囲は調節可能に設けられている。結果として、調節範囲は遡及的に変更されることができ、且つ／又は調節範囲はそれぞれの車両シートに適合させることができる。例えば、車両シートは複数の車種に提供されることができ、異なる車種の調節範囲は少なくとも部分的に可変であることができ、且つ／又は第１シート列及び後ろのシート列の車両シートは、同一構造であるが異なる調節範囲が設けられている。
【０００８】
本発明のさらなる主題又は好ましい主題によれば、少なくとも一方の止め具、しかしながら好ましくは両方の止め具は、背もたれの調節範囲を変更するために、止め具が置き換え及び／又はその位置を変更され得るように、取り外すことができるように設けられている。
【０００９】
本発明のこの主題に関する実施形態は、本発明の他の主題にも同様に適用され、その逆も同様である。
【００１０】
好ましくは、止め具は取り付け部品にボルトで取り付けられる。
【００１１】
本発明のさらなる主題又は好ましい主題によれば、少なくとも１つの止め具は第１停止面と第２停止面とを有する。前記停止面は、任意で、他方の取り付け部品に設けられた止め具に係合させることができる。結果として、所望の調節範囲を変更することができる。
【００１２】
本発明のこの主題に関する実施形態は、本発明の他の主題にも同様に適用され、その逆も同様である。
【００１３】
本発明のさらなる主題又は好ましい主題によれば、少なくとも１つの止め具は、２つの異なる制限領域を有する。前記異なる制限領域は、任意で、他方の取り付け部品に設けられた止め具に係合させることができる。結果として、所望の調節範囲を変更することができる。
【００１４】
本発明のこの主題に関する実施形態は、本発明の他の主題にも同様に適用され、その逆も同様である。
【００１５】
以下の実施形態は、本発明の全ての主題に等しく適用される。
【００１６】
好ましくは、止め具は締結手段によって、特にボルトによって取り付け部品に配置される。
【００１７】
好ましい実施形態によれば、止め具は回転不能であるように取り付け部品に配置される。
【００１８】
好ましくは、取り付け部品に突起が設けられ、前記突起は、回転防止止め具として止め具上のくぼみ及び／又は凹部と協働する。
【００１９】
本発明のさらなる主題は、調節手段、特に上述した発明の又は好ましい調節手段の調節範囲を調節するための方法であり、この方法では、車両シートの調節手段の調節範囲を変更するために、１つの止め具が異なる止め具で置換されるか又は同じ止め具が異なる位置に取り付けられる。
【００２０】
本発明のこの主題に関する実施形態は、本発明の他の主題にも同様に適用され、その逆も同様である。
【００２１】
好ましくは、止め具は取り外され、１８０°回転されて再び取り付けられる。
【００２２】
好ましくは、前記止め具は調節手段の背もたれ取り付け部品に可逆的に取り付けられる。
【００２３】
本発明を、図１〜７を用いて以下に説明する。前記説明は、単に例として提供されるのみで、包括的な発明概念を限定するものではない。
【図面の簡単な説明】
【００２４】
【図１】第１調節範囲を有する本発明に係る調節手段を示す。
【図２】異なる調節範囲を有する図１に係る調節手段を示す。
【図３】図１及び２に係る調節手段の分解図を示す。
【図４】止め具を示す。
【図５】第１調節範囲を有する２つの止め具を示す。
【図６】第２調節範囲を有する２つの止め具を示す。
【図７】背もたれ取り付け部品の詳細を示す。
【発明を実施するための形態】
【００２５】
図１は、本発明に係る調節手段１、この場合いわゆるリクライナを示す。前記リクライナは、背もたれの側部２に接続された背もたれ取り付け部品３を備える。前記背もたれ取り付け部品３は、座部取り付け部品６上で回転可能であるように設けられる。前記座部取り付け部品は２つの止め具５ａ，５ｂを有し、２つの止め具は、背もたれ取り付け部品及びひいては背もたれの回転運動を制限し、好ましくは座部取り付け部品と一体に設けられる。前記止め具５ａ，５ｂは、背もたれの調節角度が制限されるように、いずれの場合にも止め具４ｂ，４ａと協働する。図１に係る配置において、前方及び後方回転のための止め具４ａ，４ｂの制限領域は変更可能であるように設けられ、このことは図６を参照してより詳細に説明される。止め具４ａ，４ｂは、いずれの場合にもそれらを取り外すことができる方法で背もたれ取り付け部品に配置され、この場合はボルトによって締結されている。
【００２６】
図２は、実質的に図１に係る調節手段を示しているが、この場合、止め具４ａ，４ｂは、前方及び／又は後方移動を同じ角度、この場合それぞれ１０°に制限しており、このことは図５を参照してより詳細に説明される。
【００２７】
図３は、図２に係る調節手段の分解図を示す。止め具４ａ，４ｂがボルトを用いて背もたれ取り付け部品３に配置され、前記背もたれ取り付け部品が今度は特に材料接続によって背もたれ側部２に配置されることがはっきりと見える。取り付け部品３，６は、調節手段の回転機構（図示せず）を用いて互いに接続される。
【００２８】
図４は、止め具４ａ，４ｂの詳細を示す。前記止め具は、締結手段７、例えばボルト７が貫通する穴４．３を有し、止め具４ａ，４ｂはこの穴によって背もたれ取り付け部品３に締結されることができる。止め具４ａ，４ｂが荷重下で回転するのを防止するために、前記止め具は回転防止止め具４．４、この場合には凹部を有し、この凹部に、例えば、背もたれ取り付け部品から形成されたタブが係合する。止め具４ａ，４ｂは、２つの制限領域、すなわち、２０°制限領域４．１と、１０°制限領域４．２とを有する。制限領域４．１は、背もたれ取り付け部品の回転角度を２０°減少させ、制限領域４．２は背もたれの回転を１０°減少させる。両方の領域４．１，４．２には、いずれの場合にも第１停止部４．５が設けられ、止め具５ａ，５ｂは前記停止部に当接し、結果として背もたれの回転／調節を制限する。回転軸９を中心に止め具４ａ，４ｂを回転させることにより、それぞれ所望の制限領域が止め具５ａ，５ｂに係合されることができる。結果として、１つの構成要素４ａ，４ｂを用いて、必要に応じて２つの異なる調節範囲を設定することができる。当業者であれば、それぞれの調節範囲を変更するために、止め具はまた鉛直軸を中心に回転され得ることが分かる。潜在的に、回転防止止め具は、異なる方法で提供されなければならない。したがって、異なる調節範囲を実現することができ、且つ／又は調節範囲を非常に簡単な方法で１つの調節手段によって変更することができる。当業者であれば、止め具を用いて、全部で４つの異なる調節オプション／調節範囲、すなわち、背もたれの前方に向けた回転のための２つの異なる調節オプションと、背もたれの後方に向けた回転のための２つの調節オプションとが提供されることが分かる。両方の止め具４ａ，４ｂは、好ましくは、その製造コストを低減する同一構造のものである。好ましくは、いずれの場合にも、止め具４は両方の領域４．１，４．２に第２停止部４．６を有する。第２停止部４．６は、例えば、好ましくは固定的に設けられた径方向突起１１ａ、１１ｂ（図５参照）に支持されることができる。その結果、特に締結手段７及び任意の回転防止止め具４．４，８の荷重が低減される。
【００２９】
図５は、図２に係る制限状態を示す。この場合、止め具４は、いずれの場合にも、前方及び後方回転の両方が１０°制限されるように取り付けられ、止め具４ｂは背もたれの後方回転の制限を担当し、止め具４ａは背もたれの前方回転の制限を担当する。
【００３０】
図６は、実質的に図５に係る配置を示し、この場合、止め具４ｂは、今度は制限領域２０°が止め具５ｂと協働するように、その軸線９を中心に回転され、すなわち、背もたれの後方回転がその前方回転よりも大幅に制限される。
【００３１】
図７は背もたれ取り付け部品３の詳細を示す。前記背もたれ取り付け部品は、ボルトが挿通され、好ましくはねじ込まれる２つの穴及び／又は成形部分１０を有し、その結果、取り付け部品４ａ，４ｂは、取り外すことができる方法で、背もたれ取り付け部品に締結される。背もたれ取り付け部品は穴を通るタブ８を備え、前記タブは、いずれの場合にも、取り付け部品４の凹部４．４に係合し、結果として、取り付け部品が取り付けられた状態で意図せず回転するのを防止する。
【００３２】
好ましくは両方の止め具４と協働するバネ手段によって、それぞれの止め具４は、タブ８との係合状態に保持されることができ、且つ／又はノイズの発生を防止することができる。
【符号の説明】
【００３３】
１  調節手段、リクライナ
２  背もたれ側部
３  背もたれ取り付け部品
４ａ，４ｂ  止め具
４．１  制限領域、２０°制限
４．２  制限領域、１０°制限
４．３  穴
４．４  回転防止止め具、くぼみ、凹部
４．５  第１停止面
４．６  第２停止面
５ａ，５ｂ  座部取り付け部品の止め具
６  座部取り付け部品
７  締結手段、ボルト
８  凹部、突起、回転防止止め具
９  回転軸
１０  ネジ
１１ａ  支持部、支持用タブ
１１ｂ  支持部、支持用タブ
【図１】
0005784155.tif 000002
【図２】
0005784155.tif 000003
【図３】
0005784155.tif 000004
【図４】
0005784155.tif 000005
【図５】
0005784155.tif 000006
【図６】
0005784155.tif 000007
【図７】
0005784155.tif 000008